(57)【要約】【課題】  結露が最も多い天井から結露水が側壁内部に伝わって落ちてくることを回避するため、天井に結露しやすい箇所を作ることで、荷室内の湿度を下げ、結露の発生を抑制する。【解決手段】  車台に搭載される箱型荷室９の側壁外板２および天井外板３の内側に、断熱機能を有する側壁内装材４および天井内装材５を設けた箱型荷室装置１において、側壁内装材４上方近傍の天井内装材５の周縁部を、側壁内装材４に沿うように切り欠いて天井外板３を荷室９に直接に臨ませる露呈部３ａを形成し、露呈部３ａ近傍の荷室９内に、露呈部３ａから滴下する結露水Ｗを受容する排水手段１０を設けた。【選択図】  図１
2005170104.tif 000002
【特許請求の範囲】
【請求項１】
車台に搭載される箱型荷室の側壁および天井の外板の内側に、断熱機能を有する内装材を設けた箱型荷室装置において、上記内装材の一部を欠いて上記外板を上記荷室に直接に臨ませる露呈部を形成し、上記露呈部近傍の荷室内に、上記露呈部から滴下する結露水を受容する排水手段を設けたことを特徴とする箱型荷室装置。
【請求項２】
上記露呈部を、上記天井外板が上記荷室内に向かって陥没する突出部で形成したことを特徴とする請求項２記載の箱型荷室装置。
【請求項３】
上記突出部を、上記露呈部から垂下する別体の滴下促進部材を取り付けて形成したことを特徴とする請求項２記載の箱型荷室装置。
【請求項４】
上記露呈部が上記側壁近傍の上記天井外板に側壁に沿って設けられ、上記排水手段を、上記側壁上部近傍であって同側壁に沿って配置された樋、および同樋の下端から上記荷室外に連通される排出管で形成したことを特徴とする請求項１乃至３のいずれか一項に記載の箱型荷室装置。
【発明の詳細な説明】
【技術分野】
【０００１】
本発明は、運搬車両等に搭載された箱型荷室の天井面に結露した結露水が荷物に滴下しないようにした箱型荷室装置に関する。
【背景技術】
【０００２】
通常、トラックの車台には、図４、図５に示すように、バン型トラックのキャブ０１後部に箱型荷室装置０２が搭載されている。箱型荷室装置０２は、アルミニウム等の金属平板で形成した側壁外板０３、天井外板０４、後部に設けた扉外板０５等で箱型に形成され、それらの内側には、合板、ウレタンフォーム等の合成樹脂板で断熱的機能を有する側壁内装材０６、天井内装材０７を取り付けて構成されている（以下「従来装置１」という）。また、特開平９−７７１８９号公報（以下「従来技術２」という）のものは、図６に示されるように、箱型荷室装置の一形態であるコンテナ０９に係るものであるが、天板内面に傾斜板０１０を設け、この傾斜板０１０に一側から他側への方向（傾斜方向）に沿って複数個の水滴落下防止用溝を形成した構造のものである。この構造により、傾斜板０１０に発生した結露を表面張力を利用して凝縮させ水滴落下防止用溝に沿って下方へ伝わらせ、側壁０１１に沿って下降した結露水を外部へ排出することで、荷物０１２が滴下する結露水で濡れないようにしている。なお、同様に、結露水の荷物への滴下を防止するものとして、実開平６−５３２９２号公報（特許文献２）のものもあるが、これは冷凍庫内の天井部近傍に設置した冷凍機を受容する下方枠体をウレタンフォーム等の断熱材で被覆した構造により、結露水が荷物へ滴下するのを防止したものであり、天井面に付着する結露水の滴下を防ぐ技術ではない。
【特許文献１】特開平９−７７１８９号公報
【特許文献２】実開平６−５３２９２号公報
【発明の開示】
【発明が解決しようとする課題】
【０００３】
しかしながら、上記従来技術１にあっては、外気温度が低く、箱型荷室装置の内部温度が高くて湿度が多くなると、各内装材０６，０７の内面に付着した結露水滴が荷物０８に滴下して荷物を濡らして損傷させる問題がある。また、上記従来技術２では、傾斜板の溝を伝わった結露水は、荷室の側壁０１１を流下するため、側壁に接する荷物は結露水に濡れて損傷する問題がある。本発明は、このような問題点を解決するために、運搬車両の車台に搭載される箱型荷室装置において、結露が最も多い天井から結露水が側壁内部に伝わって落ちてくることを回避するため、天井に結露しやすい箇所を作ることで、荷室内の湿度を下げ、結露の発生を抑制するようにした箱型荷室装置を提供しようとするのが、本発明の目的（課題）である。
【課題を解決するための手段】
【０００４】
上記課題を解決するために、本発明においては次のような手段を講ずることとした。すなわち、請求項１記載の発明は、箱型荷室装置であって、車台に搭載される箱型荷室の側壁および天井の外板の内側に、断熱機能を有する側壁内装材および天井内装材を設けた箱型荷室装置において、上記側壁内装材の一部を切り欠いて上記天井外板を上記荷室に直接に臨ませる露呈部を形成し、上記露呈部近傍の荷室内に、上記露呈部から滴下する結露水を受容する排水手段を設けたことを特徴とする。
【０００５】
また、請求項２記載の発明は、請求項１記載の箱型荷室装置に係り、上記露呈部を、上記天井外板が上記荷室内に向かって陥没する突出部で形成したことを特徴とする。
【０００６】
また、請求項３記載の発明は、請求項１または２記載の箱型荷室装置に係り、上記突出部を、上記露呈部から垂下する別体の滴下促進部材を取り付けて形成したことを特徴とする。
【０００７】
また、請求項４記載の発明は、請求項１乃至３のいずれか一項に記載の箱型荷室装置に係り、上記露呈部が上記側壁近傍の上記天井外板に側壁に沿って設けられ、上記排水手段を、上記側壁上部近傍であって同側壁に沿って配置された樋、および同樋の下端から上記荷室外に連通される排出管で形成したことを特徴とする。
【発明の効果】
【０００８】
本発明によると、次のような効果を奏することができる。
すなわち、請求項１記載の発明によれば、車台に搭載される箱型荷室の側壁外板および天井外板の内側に、断熱機能を有する天井内装材の周縁部を、切り欠いて天井外板が荷室に直接に臨む露呈部を形成し、露呈部近傍の荷室内に、露呈部から滴下する結露水を受容する排水手段を設けているため、天井角部の露呈部に、荷室外部の温度が荷室内の温度よりも低下した場合に、露呈部に荷室内の湿気が結露し、それが結露水となって滴下するときに、排水手段に受け止められ、荷室外部へ排出される。これにより、荷室内の湿度を下げ、天井内装材に結露する結露水の発生量を低減させることで、箱型荷室全体としての結露の発生を抑制することで、積み荷が滴下する結露水で濡れて損傷したり、発錆する事態を円滑に回避できる利点がある。また、本発明によると、排水手段を露呈部近傍の天井角部に沿うように設置しているので、荷物の積み卸し作業に支障を来すことはなく、しかも、積載量に制約を受けたりすることもない利点もある。なお、箱型荷室装置としては、トラックの他に、セミトレーラトラック、あるいはフルトレーラトラック、鉄道車両等の運搬車両の車台に搭載されるコンテナ等の箱型荷室装置にも適用できるものである。
【０００９】
また、請求項２記載の発明によれば、露呈部に、天井外板が荷室内に向かって陥没する突出部を形成しているので、露呈部に結露する結露水は突出部に集中させ、その下方に配置した排水手段に的確、且つ効率よく滴下させて排出することができる効果がある。
【００１０】
また、請求項３記載の発明によれば、露呈部に、垂下する別体の滴下促進部材を取り付けて突出部を形成しているため、天井外板に突出部を形成するための金型を製作し、それによる成型加工の手間を不要化でき、結果として加工コストを安価にできる利点がある。
【００１１】
また、請求項４記載の発明によれば、露呈部が側壁近傍の天井外板に側壁に沿って設けられ、排水手段を、側壁上部近傍であって側壁に沿って配置された樋と、この樋の下端から荷室外に連通される排出管とで形成しているので、露呈部ないしは突出部から滴下する結露水は、樋で受容された後、排出管を通って荷室外部へ排出処理されるので、荷室の側壁を結露水が伝って流下することがなく、側壁に積み荷が接触しても、結露水で濡れるのを防止できる効果がある。
【発明を実施するための最良の形態】
【００１２】
本発明に係る箱型荷室装置を図１、図２に示す実施形態に基づいて説明する。
図１は左側壁上方の角部を拡大して示した部分拡大断面図、図２は右方から左側の側壁を視た荷室内部を示す外観斜視図である。本実施形態における箱型荷室装置として、図４で示したと同様にバン型トラックの車台に搭載された箱型荷室装置に適用される場合を例に挙げて説明する。すなわち、箱型荷室装置１は、側面を形成する側壁外板２、天井を形成する天井外板３、および荷物積載時に開閉する開閉扉の外板（図示しない）等は、薄平板状鋼板あるいはアルミニウム材平板により箱型に形成されている。左右の側壁外板２、天井外板３、前壁および後壁である開閉扉外板の内側には、例えば、天然合板、ウレタンフォーム材等の合成樹脂合板、あるいはこれらの合成合板等の所定厚さで断熱機能を有する素材でなる左右の側壁内装材４，天井内装材５、前壁内装材６、および開閉扉内装材７が設けられ、また、底面にも床内装材８が張り付けられる。こうして６面が各内装材４〜８で囲まれることで、箱型荷室装置１内部に荷室９が形成される。
【００１３】
天井内装材５は、車両前後方向に沿う左右周縁部を、左右の側壁内装材４の上方近傍で切り欠かれ、天井外板３の一部が荷室９に直接に臨むようにして露呈部３ａを形成している。この露呈部３ａに、例えばプレス加工等により荷室９側へ略Ｕ字状に陥没する突出部３ｂが形成される。突出部３ｂは、箱型荷室装置１の前後方向の略全長に亘る長さに形成されることとなる（図２参照）。
【００１４】
また、露呈部３ａ近傍の荷室９内には、合成樹脂材で形成された樋１０ａと排出管１０ｂとでなる排出手段１０が設けられる。具体的には、突出部３ｂ近傍の荷室内、すなわち、側壁内装材４上方で車両前後方向に沿って、横断面が略レ字状の樋１０ａが車両後方に向かうに応じて緩やかに下方傾斜していくようにビス、ボルト等の適宜の締結具１０ｃを介して設けられる。もちろん、締結具１０ｃの代わりに接着剤を介して結合するようにしてもよい。この樋１０ａは、突出部３ｂの下方で所定距離を存し、かつ、露呈箇所の全範囲をカバーするように配置され、露呈する天井外板３部分である突出部３ｂから滴下する結露水Ｗが受け止められるようになっている。他方、排出管１０ｂは、その上部を樋１０ａの最下部位置である後方端部に連通して接続され、その下部を適宜床内装材８に形成した排出口に接続して外部に連通し、樋１０ａに滴下した結露水を排出管１０ｂを介して外部へ排出するようにしている。
こうして、突出部３ｂおよび樋１０ａは、荷室９上部の角部に配置され、排出管１０ｂも荷室９後部の角部に設置される。
【００１５】
上記実施形態の作用を説明する。箱型荷室装置１の外気温度が低く、荷室９内が暖かく、湿気が多い状態になると、突出部３ｂ内外両面間の温度差により、荷室９内の湿気が凝縮、すなわち結露しだした結露水Ｗは、水滴となって樋１０ａに滴下して受け止められる。樋１０ａに受容された結露水Ｗは樋１０ａを流れ排出管１０ｂを流下して外部に排水されていく。このため、突出部３ｂから樋１０ａに滴下する結露水Ｗによって荷物が濡れることがなく、荷室９内装材４〜８に湿気が結露するのを効果的に抑制するようになる。
【００１６】
上記のように本実施形態によれば、天井外板３の一部分である突出部３ｂが、荷室９内部空間に直接に露呈する構成にしているので、湿気を突出部３ｂにおいて積極的に結露させることで、荷室９内部の湿度を下げることができ、そのため、荷室全体としての結露の発生が抑制されるようになり、結果として天井内装材５から央部下面から滴下する結露水によって荷物が濡れたりする事態を良好に抑制できる効果がある。しかも、突出部３ｂおよび排出手段１０を側壁上方の角部に邪魔にならないように設けているので、荷物の積み卸し作業の邪魔にならず、積載量を低減させるようなこともない等の点でも有利となる。
【００１７】
以上、本発明の実施形態を図面により詳述してきたが、具体的な構成はこの実施形態に限られるものではなく、本発明の要旨を逸脱しない範囲の設計変形等があっても本発明に含まれる。
例えば、上記実施形態では、バン型トラックの箱型荷室装置に適用した場合について説明したが、これ以外のセミトレーラ型トラック、フルトレーラ型トラック等の運搬車両の車台に搭載されるコンテナといった箱型荷室装置にも応用できるのは言うまでもない。すなわち、コンテナ内壁に断熱機能を備えた内装材を適宜設けコンテナにも適用できる。
【００１８】
また上記では、天井外板３に突出部３ｂを形成して荷室９に露呈するようにした場合であったが、この代わりに図３に示すように、熱伝達効率のよい金属素材で形成した結露と滴下を促進する形状に形成した滴下促進部材１１を、平板形状の露呈部分に適宜の取り付け手段（例えば、ビス、接着剤等）を介して樋１０ａに垂下するように取り付けるようにした構成でもよい。この変形例によれば、天井外板３に突出部３ｂを成形するためのプレス加工を施す手間を不要化でき、天井外板の加工コストを低減できる利点がある。勿論、この滴下促進部材１１の断面形状は、単にＬ字状断面のもの等、適宜の形状のものであってもよいのは言うまでもない。
【００１９】
また、上記実施形態や上記変形のように、突出部３ｂや滴下促進部材１１を下方に出っ張るように設けて樋１０ａに滴下し易いように構成したが、これらを設けないで、ただ単に天井外板３を荷室９内に露呈するようにしただけの簡単な形態にしてもよいのは勿論である。
【００２０】
また、上記では、露呈部３ａおよび排出手段１０を左右の両側壁に設けた場合であったが、この代わりに前壁、後壁上方の角部にも設けることも可能である。
また、樋１０ａは、側壁内装材４に設けたが、天井側の露呈部３ａ近傍に設けてもよいものである。
【図面の簡単な説明】
【００２１】
【図１】本発明の実施形態における部分拡大断面図である。
【図２】荷室内部の概略構造を説明する荷室外観斜視図である。
【図３】上記実施形態の変形例における断面図である。
【図４】バン型トラックの箱型荷室装置の外観斜視図である。
【図５】従来装置１における箱型荷室装置の部分横断面図である。
【図６】従来装置２における横断面図である。
【符号の説明】
【００２２】
１  箱型荷室装置
２  側壁外板
３  天井外板
３ａ  露呈部
３ｂ  突出部
４  側壁内装材
５  天井内装材
６  前壁内装材
７  開閉扉内装材
８  床内装材
９  荷室
１０  排出手段
１０ａ  樋
１０ｂ  排出管
１１  滴下促進部材
Ｗ  結露水
【図１】
2005170104.tif 000003
【図２】
2005170104.tif 000004
【図３】
2005170104.tif 000005
【図４】
2005170104.tif 000006
【図５】
2005170104.tif 000007
【図６】
2005170104.tif 000008